(57)【要約】【課題】ＳＩＭカードを保持するために充電池ケースによって覆うことなく、筐体内で保持することでＳＩＭカードを保持する保持構造を提供する。【解決手段】本発明は、携帯端末機内部の基板上に固定されたカードコネクタ３にカード２をスライドさせて装着するカード保持構造において、前記カードコネクタ３におけるカード２のスライド方向の前方部（Ａ方向）に設けられたカード保持部８により前記カード２を保持し、　また、一端が筐体に固定された矩形の弾性片からなるスロープ兼ストッパを設ける。【選択図】　　　図１
2004126877.tif 000002
【特許請求の範囲】
【請求項１】
内部筐体の電池保持用凹部に設けられたカードコネクタ挿入と、
前記カードコネクタ挿入口付近に設けられ、前記内部筐体への挿入をガイドするスロープと、
前記カードを保持するカードコネクタとを含むカード保持構造。
【請求項２】
前記内部筐体は前記カードを所定の位置まで挿入する保持用リブを備えていることを特徴とする請求項１記載のカード保持構造。
【請求項３】
前記スロープはストッパを兼ねることを特徴とする請求項１または２記載のカード保持構造。
【請求項４】
前記カードコネクタを覆う前記内部筐体に窓を持つことを特徴とする請求項１乃至請求項３のいずれか１項に記載のカード保持構造。
【請求項５】
前記窓は前記内部筐体の前記カードの付近にあることを特徴とする請求項４記載のカード保持構造。
【請求項６】
回路基板上に設けられたカードを保持するカードコネクタと、前記カードを内部筐体でカードコネクタに対して接圧する手段とを含むカード保持構造。
【請求項７】
携帯端末機内部の基板上に固定されたＳＩＭカードコネクタにカードをスライドさせて装着するカード保持構造において、
前記ＳＩＭカードコネクタにおけるカードのスライド方向の前方部に設けられたカード保持部により前記カードの前方部を保持し、
また、一端が筐体に固定された矩形の弾性片からなるスロープ兼ストッパを設けたカード保持構造。
【発明の詳細な説明】
【０００１】
【発明の属する技術分野】
本発明は携帯電話機などの携帯端末機に関し、特に識別カード保持構造に関する。
【０００２】
【従来の技術】
従来、携帯電話機の識別カードであるＳＩＭ（Ｓｕｂｓｃｒｉｂｅｒ　Ｉｄｅｎｔｉｆｉｃａｔｉｏｎ　Ｍｏｄｕｌｅ：加入者識別モジュール）カードを携帯端末機のケース内に設けられたカード装着部に固定されたカードコネクタにカードをスライドさせて装着し、保持するカード保持構造としては特開２００１−２４４００４がある。
【０００３】
特開２００１−２４４００４によればカードコネクタにおけるカードのスライド方向の前部に設けたカード保持部によりカードの前部を保持し、携帯端末機の充電池を兼ねた充電池ケースのカバーの内壁面によりカード後部を保持することを特徴としている。
【０００４】
【発明が解決しようとする課題】
しかし、充電池ケースは筐体内にはめ込むための場所が必要であるため、充電池ケースの場合、充電池ケースと筐体との電気的接続にバネタイプのコンタクトを使用することが多く、そのため充電池ケースと筐体の保持が不安定になることが多く、カードの読み取りのエラーを起こしてしまう問題があった。
【０００５】
本発明はこのような問題を解消するために、カードの保持を筐体内で行い、かつ安価なＳＩＭカードコネクタを使用することで、信頼性と低コストの両立をはかるとともに、電気部品の搭載エリアを拡大することを目的とする。
【０００６】
【課題を解決するための手段】
上記課題を解決するために、本発明は、内部筐体の電池保持用凹部に設けられたカードコネクタ挿入口と、前記カードコネクタ挿入口付近に設けられた前記内部筐体へのカードの挿入をガイドするスロープを有している。
【０００７】
また、本発明は回路基板上に設けられたカードを保持するカードコネクタと、前記カードを内部筐体でカードコネクタに対して接圧する手段を有している。
【０００８】
さらに、本発明は携帯端末機内部の基板上に固定されたＳＩＭカードコネクタにカードをスライドさせて装着するカード保持構造において、前記ＳＩＭカードコネクタにおけるカードのスライド方向の前方部に設けられたカード保持部８により前記カードの前方部を保持し、　また、一端が筐体に固定された矩形の弾性片からなるスロープ兼ストッパを設けている。
【０００９】
【発明の実施の形態】
以下、本発明の実施の携帯について、図面を用いて説明する。
【００１０】
図１は本発明の第１の実施の形態のを示す展開図であり、携帯電話機のカード保持構造を示す図である。図３は図１のカード保持構造を組み立てた時の断面図である。図１及び図３において、内部筐体２００は外部筐体１００に固定されている。電池兼カバーを取り付けるために電池保持用凹部１が形成されている。電池保持用凹部１にはカード２を装着するためのカード挿入口９が設けられている。
【００１１】
カード挿入口９には一端が筐体に固定された短形の弾性片からなるスロープ兼ストッパ４が設けられており、カードがスロープ兼ストッパ４の上を滑るようにカード挿入口９から挿入される。挿入されたカードの前方部（Ａ方向）の両側辺には筐体内の回路基板７上にあるカードコネクタ３のカード保持部８によって保持され、またカードの後方部（Ｂ方向）の端面はカードの飛び出しを防ぐために筐体にスロープ兼ストッパ４に当接し、これによってカードが動かないように固定される。
【００１２】
また、カード２をカード挿入口９から手で取り出す際にカードが回路基板７に対しての力による沈み込むのを防ぐためのカード受け部５を有している。これによりカード２の撓み量を一定にし、カード２への負担を軽減される。またカード受け部５はスロープ兼ストッパ４の下には配置されていないので、スロープ兼ストッパ４下の回路基板７との間のエリアは部品実装エリアとして確保することができる。
【００１３】
なお、スロープ兼ストッパ４は図２の変形例に示すようにスロープ１３、ストッパ１４が別々に構成されていても構わない。
【００１４】
図３において、筐体内の回路基板７上のカードコネクタ３はカード２と接触するように内部筐体２００に設けられた突起部１０によりカード２をカードコネクタ３に対して加圧し、接圧を確保する。また、電池保持用凹部１において、カードの前方部の端面にはカード２が正しい位置でコネクタ接点部１２と当たるようにカード２の位置を保持するため保持用リブ１１が設けられている。
【００１５】
以上のように、本発明の第１の実施の形態ではスロープ兼ストッパ４によりカード２の飛び出しを防ぎ、内部筐体２００がカード２をカードコネクタ３に対して加圧するので、信頼性を保ちつつ、電気部品の搭載エリアを拡大することができるという効果が得られる。
【００１６】
図４は本発明の第２の実施の形態の携帯電話機のカード保持構造を示す斜視図である。図４において、カードの挿入口９には一端が筐体に固定されたスロープ兼ストッパ４０が設けられている。スロープ兼ストッパ４０はカードの挿入する方向を示すためカードの後方部の一角が欠けた形状に合わせている。スロープ兼ストッパ４０をカード２に形を合わせることで誤ってカード２を挿入することを減らすことができる。他のカードの場合、スロープ兼ストッパ４０の形状はそのカードの形に準ずる。
【００１７】
図５は本発明の第３の実施の形態の携帯電話機を説明するための斜視図である。図５において、筐体にカード２の挿入が正確にできたか確認するための確認窓６が設けられている。確認窓からはカードが万一取り出せない場合は指や棒状のものなどで押し出すことも可能である。
【００１８】
【発明の効果】
以上説明したように、本発明のカード保持構造によれば識別カードの保持の一部を筐体内で行うことができ、コストの削減を実現することができる。また電池カバーでカードを保持するよりもより安定にカードを保持することができる。
【図面の簡単な説明】
【図１】本発明の第１の実施の形態を示す構成図である。
【図２】本発明の第１の実施の形態の変形例を示す構成図である。
【図３】本発明の第１の実施の形態を組み立てたときのＣ−Ｃ断面図である。
【図４】本発明の第２の実施の形態を示す斜視図である。
【図５】本発明の第３の実施の形態を示す斜視図である。
【符号の説明】
１　　電池保持用凹部
２　　カード
３　　カードコネクタ
４　　ストッパ兼スロープ
５　　カード受け部
６　　確認窓
７　　基板
８　カード保持部
９　カード挿入口
１０　突起部
１１　保持用リブ
１２　コネクタ接点部
１３　スロープ
１４　ストッパ
１５　充電池カバー接点部
【図１】
2004126877.tif 000003
【図２】
2004126877.tif 000004
【図３】
2004126877.tif 000005
【図４】
2004126877.tif 000006
【図５】
2004126877.tif 000007